(57)【要約】【課題】第三者からの電子メールがＢＧＭプレーヤに届いた際に、ＢＧＭプレーヤの誤動作をなくすことができ、また、電子メールの宛先のＢＧＭプレーヤのアドレスを間違えた場合に、その電子メールに記述されたコマンドの実行を行わないと共に、宛先のアドレスが間違っている旨を操作者に通知することのできるＢＧＭ再生システム、それに用いられるデータ送信装置およびＢＧＭプレーヤを提供する。【解決手段】ＢＧＭプレーヤ１６は、正しいシステムパスワード９８とプレーヤ別パスワード９９とが記述されている場合には、電子メール２４に記述されたコマンドに基づいた処理を実行し、正しいシステムパスワード９８が記述されていて、対応するプレーヤ別パスワード９９が記述されていない場合には、前記コマンドに基づいた処理を実行せず、プレーヤ別パスワード９９が間違っていることを通知する電子メールを前記データ送信装置１４に送信する。【選択図】　　　　　図１
2004139518.tif 000002
【特許請求の範囲】
【請求項１】
ネットワークに接続され、複数のコンテンツを再生可能なＢＧＭプレーヤと、
前記ネットワークに、前記ＢＧＭプレーヤと通信可能となるように接続され、前記ＢＧＭプレーヤに対して、所定のコマンドが記述された電子メールを送信するデータ送信装置とを具備し、
前記データ送信装置からの電子メールを受信した前記ＢＧＭプレーヤが、該電子メールに記述されているコマンドに基づいて所定の処理を実行するＢＧＭ再生システムにおいて、
前記データ送信装置は、前記ＢＧＭプレーヤに送信する電子メール中に、各前記ＢＧＭプレーヤ間で共通のシステムパスワードを記述するシステムパスワード記述手段を備え、
前記ＢＧＭプレーヤは、前記データ送信装置からの電子メールに、正しい前記システムパスワードが記述されている場合に限り、該電子メールに記述されたコマンドに基づいた処理を実行することを特徴とするＢＧＭ再生システム。
【請求項２】
ネットワークに接続され、複数のコンテンツを再生可能なＢＧＭプレーヤと、
前記ネットワークに、前記ＢＧＭプレーヤと通信可能となるように接続され、前記ＢＧＭプレーヤに対して、所定のコマンドが記述された電子メールを送信するデータ送信装置とを具備し、
前記データ送信装置からの電子メールを受信した前記ＢＧＭプレーヤが、該電子メールに記述されているコマンドに基づいて所定の処理を実行するＢＧＭ再生システムにおいて、
前記データ送信装置は、
前記電子メールの宛先の前記ＢＧＭプレーヤのアドレスを、操作者の操作によって設定させるアドレス設定手段と、
前記電子メールの宛先の前記ＢＧＭプレーヤに対応するプレーヤ別パスワードを、操作者の操作によって設定させ、該電子メール中に記述するプレーヤ別パスワード記述手段とを備え、
前記ＢＧＭプレーヤは、
前記データ送信装置からの電子メールに、該ＢＧＭプレーヤに対応する前記プレーヤ別パスワードが記述されている場合に限り、該電子メールに記述されたコマンドに基づいた処理を実行することを特徴とするＢＧＭ再生システム。
【請求項３】
前記ＢＧＭプレーヤは、前記データ送信装置からの電子メールに、該ＢＧＭプレーヤに対応する前記プレーヤ別パスワードが記述されていない場合には、該電子メールに記述されている該プレーヤ別パスワードが間違っていることを通知する電子メールを、前記データ送信装置に送信することを特徴とする請求項２記載のＢＧＭ再生システム。
【請求項４】
ネットワークに接続され、複数のコンテンツを再生可能なＢＧＭプレーヤと、
前記ネットワークに、前記ＢＧＭプレーヤと通信可能となるように接続され、前記ＢＧＭプレーヤに対して、所定のコマンドが記述された電子メールを送信するデータ送信装置とを具備し、
前記データ送信装置からの電子メールを受信した前記ＢＧＭプレーヤが、該電子メールに記述されているコマンドに基づいて所定の処理を実行するＢＧＭ再生システムにおいて、
前記データ送信装置は、
前記電子メールの宛先の前記ＢＧＭプレーヤのアドレスを、操作者の操作によって設定させるアドレス設定手段と、
前記電子メールの宛先の前記ＢＧＭプレーヤに対応するプレーヤ別パスワードを、操作者の操作によって設定させ、該電子メール中に記述するプレーヤ別パスワード記述手段と、
前記ＢＧＭプレーヤに送信する電子メール中に、各前記ＢＧＭプレーヤ間で共通のシステムパスワードを記述するシステムパスワード記述手段とを備え、
前記ＢＧＭプレーヤは、
前記データ送信装置からの電子メールに、正しい前記システムパスワードと、該ＢＧＭプレーヤに対応する前記プレーヤ別パスワードとが記述されている場合には、該電子メールに記述されたコマンドに基づいた処理を実行し、
前記データ送信装置からの電子メールに、正しい前記システムパスワードが記述されていて、該ＢＧＭプレーヤに対応する前記プレーヤ別パスワードが記述されていない場合には、該電子メールに記述されたコマンドに基づいた処理を実行せず、該電子メールに記述されている該プレーヤ別パスワードが間違っていることを通知する電子メールを前記データ送信装置に送信し、
前記データ送信装置からの電子メールに、正しい前記システムパスワードが記述されていない場合には、該電子メールに記述されたコマンドに基づいた処理を実行せず、かつ、該電子メールに記述されている前記プレーヤ別パスワードが間違っていることを通知する電子メールを前記データ送信装置に送信しないことを特徴とするＢＧＭ再生システム。
【請求項５】
前記ＢＧＭプレーヤは、該ＢＧＭプレーヤに対応する前記プレーヤ別パスワードを二つ有し、
該二つのプレーヤ別パスワードの一方は、各前記ＢＧＭプレーヤ間で共通に設定されていることを特徴とする請求項２、３または４記載のＢＧＭ再生システム。
【請求項６】
ネットワークに、複数のコンテンツを再生可能なＢＧＭプレーヤと通信可能となるように接続され、前記ＢＧＭプレーヤに対して、所定のコマンドが記述された電子メールを送信するデータ送信装置において、
前記電子メールの宛先の前記ＢＧＭプレーヤのアドレスを、操作者の操作によって設定させるアドレス設定手段と、
前記電子メールの宛先の前記ＢＧＭプレーヤに対応するプレーヤ別パスワードを、操作者の操作によって設定させ、該電子メール中に記述するプレーヤ別パスワード記述手段と、
前記ＢＧＭプレーヤに送信する電子メール中に、各前記ＢＧＭプレーヤ間で共通のシステムパスワードを記述するシステムパスワード記述手段とを備えることを特徴とするデータ送信装置。
【請求項７】
複数のコンテンツを再生可能に設けられると共に、ネットワークに接続されて、データ送信装置からの電子メールを受信可能に設けられ、該電子メールに記述されているコマンドに基づいて所定の処理を実行可能なＢＧＭプレーヤにおいて、
前記電子メールに、各他のＢＧＭプレーヤと共通の、正しいシステムパスワードと、ＢＧＭプレーヤ毎に設定されるプレーヤ別パスワードであって、対応するプレーヤ別パスワードとが記述されている場合には、該電子メールに記述されたコマンドに基づいた処理を実行し、
前記データ送信装置からの電子メールに、正しい前記システムパスワードが記述されていて、前記対応するプレーヤ別パスワードが記述されていない場合には、該電子メールに記述されたコマンドに基づいた処理を実行せず、該電子メールに記述されている前記プレーヤ別パスワードが間違っていることを通知する電子メールを前記データ送信装置に送信し、
前記データ送信装置からの電子メールに、正しい前記システムパスワードが記述されていない場合には、該電子メールに記述されたコマンドに基づいた処理を実行せず、かつ、該電子メールに記述されている前記プレーヤ別パスワードが間違っていることを通知する電子メールを前記データ送信装置に送信しないことを特徴とするＢＧＭプレーヤ。
【請求項８】
前記対応するプレーヤ別パスワードを二つ有し、
該二つのプレーヤ別パスワードの一方は、各他のＢＧＭプレーヤと共通に設定されていることを特徴とする請求項７記載のＢＧＭプレーヤ。
【発明の詳細な説明】
【０００１】
【発明の属する技術分野】
本発明は店舗等に設置されたＢＧＭプレーヤに再生させるべきコンテンツを提供するＢＧＭ再生システム、それに用いられるデータ送信装置およびＢＧＭプレーヤに関する。
【０００２】
【従来の技術】
従来、スーパーマーケット等の店舗において、営業中に、店舗内に楽曲や画像等のコンテンツを再生するために、ＢＧＭプレーヤが用いられている。ＢＧＭプレーヤは、各店舗内に設置され、内蔵している記憶手段に記憶されている楽曲や画像等のコンテンツを再生することができる。
【０００３】
このようなＢＧＭプレーヤにおいては、再生すべきコンテンツを記録した記録媒体（ＣＤ等）を代理店が配布し、その記録媒体をＢＧＭプレーヤ本体に内蔵または接続することで、コンテンツを更新していた。
【０００４】
しかし、近年においては、コンテンツの更新は、ＣＤ等の記録媒体によらず、ＢＧＭプレーヤが、ＬＡＮやインターネットや電話回線等のネットワークを用いて、コンテンツが格納されたコンテンツ格納サーバから、コンテンツをダウンロードすることによって行う手法が確立されてきた。
【０００５】
また、コンテンツの再生プログラムを提供する代理店内に設置されたデータ送信装置から、ＢＧＭプレーヤに対してコマンドが記述された電子メールを送信することにより、ＢＧＭプレーヤをデータ送信装置に接続させてコンテンツを受信させるＢＧＭ再生システムも提案されている（特許文献１参照）。
これによると、インターネット等の既存のインフラストラクチャーを用いて、電子メールを送信するのみで、複数のＢＧＭプレーヤを制御することができるので、ＢＧＭ再生システムの構築、運営および管理を、安価かつ容易にできるとしている。
【０００６】
【特許文献１】
特開２００１−２８２６８９号公報（第１５図）
【０００７】
【発明が解決しようとする課題】
上記従来のＢＧＭ再生システムにおいて、ＢＧＭプレーヤをインターネット等のオープンなネットワークに接続して使用する場合、ＢＧＭプレーヤは、システム運用上で使用される電子メール以外に、第三者からの、誤送信または悪意等による電子メールを受信する可能性がある。上記従来のＢＧＭプレーヤは、第三者からの電子メールを受信した際に、その電子メールの記述内容に基づいて、誤動作をする可能性があるという課題がある。
【０００８】
また、データ送信装置からＢＧＭプレーヤに電子メールを送る際、操作者がデータ送信装置で、宛先のＢＧＭプレーヤのアドレスを設定する操作を行う。このとき、操作者のミスによって、アドレスを、間違った他のＢＧＭプレーヤ宛てに設定してしまうことがあり得る。アドレスを間違えて設定して電子メールを送信してしまうと、その電子メールは間違ったＢＧＭプレーヤに送信され、その間違ったＢＧＭプレーヤがその電子メールに記述されたコマンドに基づいて処理を行ってしまうという課題がある。これにより、例えば、再生プログラムを含むコマンドが記載された電子メールの宛先のアドレスを間違えた場合には、各店舗で再生されるコンテンツの内容が、間違ったものになってしまう等の問題が生じ得る。
【０００９】
本発明は上記課題を解決すべくなされ、その目的とするところは、第三者からの、誤送信または悪意等による電子メールがＢＧＭプレーヤに届いた際に、ＢＧＭプレーヤの誤動作をなくすことができ、また、操作者のミスによって電子メールの宛先のＢＧＭプレーヤのアドレスを間違えた場合に、その電子メールに記述されたコマンドの実行を行わないと共に、宛先のアドレスが間違っている旨を操作者に通知することのできるＢＧＭ再生システム、それに用いられるデータ送信装置およびＢＧＭプレーヤを提供することにある。
【００１０】
【課題を解決するための手段】
本発明に係るＢＧＭ再生システムは、上記課題を解決するために、以下の構成を備える。すなわち、ネットワークに接続され、複数のコンテンツを再生可能なＢＧＭプレーヤと、前記ネットワークに、前記ＢＧＭプレーヤと通信可能となるように接続され、前記ＢＧＭプレーヤに対して、所定のコマンドが記述された電子メールを送信するデータ送信装置とを具備し、前記データ送信装置からの電子メールを受信した前記ＢＧＭプレーヤが、該電子メールに記述されているコマンドに基づいて所定の処理を実行するＢＧＭ再生システムにおいて、前記データ送信装置は、前記ＢＧＭプレーヤに送信する電子メール中に、各前記ＢＧＭプレーヤ間で共通のシステムパスワードを記述するシステムパスワード記述手段を備え、前記ＢＧＭプレーヤは、前記データ送信装置からの電子メールに、正しい前記システムパスワードが記述されている場合に限り、該電子メールに記述されたコマンドに基づいた処理を実行することを特徴とする。
これによれば、ＢＧＭプレーヤが電子メールを受信した際に、その電子メールに、データ送信装置が記述する正しいシステムパスワードが記述されている場合に限り、その電子メールに記述されたコマンドを実行するため、ＢＧＭプレーヤが、第三者からの、誤送信または悪意等による電子メールによって誤動作するのを防ぐことができる。
【００１１】
また、ネットワークに接続され、複数のコンテンツを再生可能なＢＧＭプレーヤと、前記ネットワークに、前記ＢＧＭプレーヤと通信可能となるように接続され、前記ＢＧＭプレーヤに対して、所定のコマンドが記述された電子メールを送信するデータ送信装置とを具備し、前記データ送信装置からの電子メールを受信した前記ＢＧＭプレーヤが、該電子メールに記述されているコマンドに基づいて所定の処理を実行するＢＧＭ再生システムにおいて、前記データ送信装置は、前記電子メールの宛先の前記ＢＧＭプレーヤのアドレスを、操作者の操作によって設定させるアドレス設定手段と、前記電子メールの宛先の前記ＢＧＭプレーヤに対応するプレーヤ別パスワードを、操作者の操作によって設定させ、該電子メール中に記述するプレーヤ別パスワード記述手段とを備え、前記ＢＧＭプレーヤは、前記データ送信装置からの電子メールに、該ＢＧＭプレーヤに対応する前記プレーヤ別パスワードが記述されている場合に限り、該電子メールに記述されたコマンドに基づいた処理を実行することを特徴とする。
これによれば、操作者に、電子メールの宛先のＢＧＭプレーヤのプレーヤ別パスワードを設定させ、ＢＧＭプレーヤは、電子メールを受信した際に、その電子メールに、そのＢＧＭプレーヤに対応したプレーヤ別パスワードが記述されている場合に限り、その電子メールに記述されたコマンドを実行するため、操作者がアドレス設定手段によるアドレスの設定を間違えた場合に、その電子メールを受信したＢＧＭプレーヤがその電子メールに記述されたコマンドを実行するのを防ぐことができる。
【００１２】
さらに、前記ＢＧＭプレーヤは、前記データ送信装置からの電子メールに、該ＢＧＭプレーヤに対応する前記プレーヤ別パスワードが記述されていない場合には、該電子メールに記述されている該プレーヤ別パスワードが間違っていることを通知する電子メールを、前記データ送信装置に送信することを特徴とする。
これによれば、データ送信装置の操作者が宛先のアドレスを間違えた場合に、ＢＧＭプレーヤから、プレーヤ別パスワードが間違っていることを通知する電子メールがデータ送信装置に送信されるため、データ送信装置の操作者は、宛先のアドレスの間違いを認識することができ、電子メールを出し直す等の対応をとることが可能となる。
【００１３】
また、ネットワークに接続され、複数のコンテンツを再生可能なＢＧＭプレーヤと、前記ネットワークに、前記ＢＧＭプレーヤと通信可能となるように接続され、前記ＢＧＭプレーヤに対して、所定のコマンドが記述された電子メールを送信するデータ送信装置とを具備し、前記データ送信装置からの電子メールを受信した前記ＢＧＭプレーヤが、該電子メールに記述されているコマンドに基づいて所定の処理を実行するＢＧＭ再生システムにおいて、前記データ送信装置は、前記電子メールの宛先の前記ＢＧＭプレーヤのアドレスを、操作者の操作によって設定させるアドレス設定手段と、前記電子メールの宛先の前記ＢＧＭプレーヤに対応するプレーヤ別パスワードを、操作者の操作によって設定させ、該電子メール中に記述するプレーヤ別パスワード記述手段と、前記ＢＧＭプレーヤに送信する電子メール中に、各前記ＢＧＭプレーヤ間で共通のシステムパスワードを記述するシステムパスワード記述手段とを備え、前記ＢＧＭプレーヤは、前記データ送信装置からの電子メールに、正しい前記システムパスワードと、該ＢＧＭプレーヤに対応する前記プレーヤ別パスワードとが記述されている場合には、該電子メールに記述されたコマンドに基づいた処理を実行し、前記データ送信装置からの電子メールに、正しい前記システムパスワードが記述されていて、該ＢＧＭプレーヤに対応する前記プレーヤ別パスワードが記述されていない場合には、該電子メールに記述されたコマンドに基づいた処理を実行せず、該電子メールに記述されている該プレーヤ別パスワードが間違っていることを通知する電子メールを前記データ送信装置に送信し、前記データ送信装置からの電子メールに、正しい前記システムパスワードが記述されていない場合には、該電子メールに記述されたコマンドに基づいた処理を実行せず、かつ、該電子メールに記述されている前記プレーヤ別パスワードが間違っていることを通知する電子メールを前記データ送信装置に送信しないことを特徴とする。
これによれば、ＢＧＭプレーヤが電子メールを受信した際に、その電子メールに、データ送信装置が記述する正しいシステムパスワードが記述されていて、なおかつ、そのＢＧＭプレーヤに対応したプレーヤ別パスワードが記述されている場合に限り、その電子メールに記述されたコマンドを実行するため、ＢＧＭプレーヤが、第三者からの、誤送信または悪意等による電子メールによって誤動作するのを防ぐことができると共に、操作者がアドレス設定手段による宛先のアドレスの設定を間違えた場合に、その電子メールを受信したＢＧＭプレーヤがその電子メールに記述されたコマンドを実行するのを防ぐことができる。
また、その電子メールに、正しいシステムパスワードが記述されていて、そのＢＧＭプレーヤに対応するプレーヤ別パスワードが記述されていない場合、即ちデータ送信装置の操作者が宛先のアドレスを間違えた場合には、ＢＧＭプレーヤから、プレーヤ別パスワードが間違っていることを通知する電子メールがデータ送信装置に送信されるため、データ送信装置の操作者は、宛先のアドレスの間違いを認識することができ、電子メールを出し直す等の対応をとることが可能となる。
ここで、正しいシステムパスワードが記述されていない場合には、プレーヤ別パスワードが間違っていても、プレーヤ別パスワードが間違っていることを通知する電子メールは送信（返信）されない。従って、第三者からの、誤送信または悪意等による電子メールがＢＧＭプレーヤに届いた際に、その第三者に、プレーヤ別パスワードが間違っていることを通知する電子メールが送信（返信）されることがなく、その第三者にＢＧＭプレーヤに関する情報を与えてしまうことがない。
【００１４】
また、前記ＢＧＭプレーヤは、該ＢＧＭプレーヤに対応する前記プレーヤ別パスワードを二つ有し、該二つのプレーヤ別パスワードの一方は、各前記ＢＧＭプレーヤ間で共通に設定されていることを特徴とする。
これによれば、各ＢＧＭプレーヤ間で共通な一方のプレーヤ別パスワードを用いることで、同一の記述の電子メールによって任意のＢＧＭプレーヤにコマンドを実行させることが可能となる。
【００１５】
また、本発明に係るデータ送信装置は、上記課題を解決するために、以下の構成を備える。すなわち、ネットワークに、複数のコンテンツを再生可能なＢＧＭプレーヤと通信可能となるように接続され、前記ＢＧＭプレーヤに対して、所定のコマンドが記述された電子メールを送信するデータ送信装置において、前記電子メールの宛先の前記ＢＧＭプレーヤのアドレスを、操作者の操作によって設定させるアドレス設定手段と、前記電子メールの宛先の前記ＢＧＭプレーヤに対応するプレーヤ別パスワードを、操作者の操作によって設定させ、該電子メール中に記述するプレーヤ別パスワード記述手段と、前記ＢＧＭプレーヤに送信する電子メール中に、各前記ＢＧＭプレーヤ間で共通のシステムパスワードを記述するシステムパスワード記述手段とを備えることを特徴とする。
これによれば、データ送信装置が送信する電子メールにはシステムパスワードとプレーヤ別パスワードとが記述されているため、データ送信装置から電子メールを受けるＢＧＭプレーヤは、ＢＧＭプレーヤに届いた電子メールに記述されたシステムパスワードを参照することで、その電子メールが第三者からのものであるか否かをチェックすることができ、また、プレーヤ別パスワードを参照することで、電子メールの宛先のアドレスが正しく設定されたものであるか否かを判定することが可能となる。
【００１６】
また、本発明に係るＢＧＭプレーヤは、上記課題を解決するために、以下の構成を備える。すなわち、複数のコンテンツを再生可能に設けられると共に、ネットワークに接続されて、データ送信装置からの電子メールを受信可能に設けられ、該電子メールに記述されているコマンドに基づいて所定の処理を実行可能なＢＧＭプレーヤにおいて、前記電子メールに、各他のＢＧＭプレーヤと共通の、正しいシステムパスワードと、ＢＧＭプレーヤ毎に設定されるプレーヤ別パスワードであって、対応するプレーヤ別パスワードとが記述されている場合には、該電子メールに記述されたコマンドに基づいた処理を実行し、前記データ送信装置からの電子メールに、正しい前記システムパスワードが記述されていて、前記対応するプレーヤ別パスワードが記述されていない場合には、該電子メールに記述されたコマンドに基づいた処理を実行せず、該電子メールに記述されている前記プレーヤ別パスワードが間違っていることを通知する電子メールを前記データ送信装置に送信し、前記データ送信装置からの電子メールに、正しい前記システムパスワードが記述されていない場合には、該電子メールに記述されたコマンドに基づいた処理を実行せず、かつ、該電子メールに記述されている前記プレーヤ別パスワードが間違っていることを通知する電子メールを前記データ送信装置に送信しないことを特徴とする。
これによれば、ＢＧＭプレーヤが電子メールを受信した際に、その電子メールに、データ送信装置が記述する正しいシステムパスワードが記述されていて、なおかつ、そのＢＧＭプレーヤに対応したプレーヤ別パスワードが記述されている場合に限り、その電子メールに記述されたコマンドを実行するため、ＢＧＭプレーヤが、第三者からの、誤送信または悪意等による電子メールによって誤動作するのを防ぐことができると共に、操作者がアドレス設定手段による宛先のアドレスの設定を間違えた場合に、その電子メールを受信したＢＧＭプレーヤがその電子メールに記述されたコマンドを実行するのを防ぐことができる。
また、その電子メールに、正しいシステムパスワードが記述されていて、そのＢＧＭプレーヤに対応するプレーヤ別パスワードが記述されていない場合、即ちデータ送信装置の操作者が宛先のアドレスを間違えた場合には、ＢＧＭプレーヤから、プレーヤ別パスワードが間違っていることを通知する電子メールがデータ送信装置に送信されるため、データ送信装置の操作者は、宛先の間違いを認識することができ、電子メールを出し直す等の対応をとることが可能となる。
ここで、正しいシステムパスワードが記述されていない場合には、プレーヤ別パスワードが間違っていても、プレーヤ別パスワードが間違っていることを通知する電子メールは送信（返信）されない。従って、第三者からの、誤送信または悪意等による電子メールがＢＧＭプレーヤに届いた際に、その第三者に、プレーヤ別パスワードが間違っていることを通知する電子メールが送信（返信）されることがなく、その第三者にＢＧＭプレーヤに関する情報を与えてしまうことがない。
【００１７】
また、前記対応するプレーヤ別パスワードを二つ有し、該二つのプレーヤ別パスワードの一方は、各他のＢＧＭプレーヤと共通に設定されていることを特徴とする。
これによれば、各ＢＧＭプレーヤ間で共通な一方のプレーヤ別パスワードを用いることで、同一の記述の電子メールによって任意のＢＧＭプレーヤにコマンドを実行させることが可能となる。
【００１８】
【発明の実施の形態】
以下、本発明に係るＢＧＭ再生システム、データ送信装置およびＢＧＭプレーヤの好適な実施の形態を添付図面に基づいて詳細に説明する。
【００１９】
まず、本明細書中の用語の説明をする。
再生プログラムとは、ＢＧＭプレーヤ１６で再生されるコンテンツが時間毎に記述されたスケジュールデータのことである。ＢＧＭプレーヤ１６は、再生プログラムに従って、時間毎に指定（記述）されたコンテンツの再生を行う。再生プログラムは、例えばＢＧＭプレーヤ１６が設置された店舗の休日、営業日、あるいは営業日であっても特売日であるかそうではないか等の違いに合わせて、日毎にそれぞれ設定されている。
また、コンテンツの識別子とは、コンテンツが蓄積されたコンテンツ格納サーバ２８の名称と、ＢＧＭプレーヤ１６に配信されるべきコンテンツまでの格納パス等、各コンテンツに固有の、コンテンツを特定するためのデータのことをいう。
【００２０】
まず、ＢＧＭ再生システム１０の概要について図１を用いて説明する。
ＢＧＭ再生システム１０の構成には、スーパーマーケットやデパート等の店舗２と、店舗２にコンテンツを提供し、またＢＧＭプレーヤの保守作業等を行なう代理店４と、代理店４にコンテンツを提供するキー局６が含まれている。
【００２１】
キー局６内には、コンテンツ作成装置１５が設置されている。
コンテンツ作成装置１５は、キー局６が保有する楽曲や画像等をデジタルデータとしてファイル化し、このデジタルデータをコンテンツとしてコンテンツ格納サーバ２８にアップロードすることができる。
また、コンテンツ作成装置１５は、キー局６が保有する楽曲や画像の一部を切り出してデジタルデータとしてファイル化することで、試聴ファイルや試写ファイルを作成することができる。そして、コンテンツ作成装置１５は、作成した試聴ファイルや試写ファイルを試聴・試写サーバ２９へアップロードすることができる。
【００２２】
代理店４内には、ＬＡＮやその他の通信回線で互いに通信可能に接続された、再生プログラム作成装置１３と、コマンド作成装置１７と、データ送信装置１４とが設置されている。
再生プログラム作成装置１３は、試聴・試写サーバ２９またはコンテンツ格納サーバ２８にアップロードされた試聴・試写ファイルまたはコンテンツのリストを参照可能に設けられ、そのリストに記載されたコンテンツを用いた再生プログラムを作成することができる。作成された再生プログラムは、前記通信回線を介してコマンド作成装置１７に送られる。
コマンド作成装置１７は、ＢＧＭプレーヤ１６に所定の処理を指示する、各種のコマンドを作成することができる。作成されたコマンドは、前記通信回線を介してデータ送信装置１４に送られる。また、再生プログラム作成装置１３から送られてきた再生プログラムは、ＢＧＭプレーヤ１６に再生プログラムを設定させる所定のコマンドと関連付けられて、データ送信装置１４に送られる。
データ送信装置１４は、コマンド作成装置１７で作成されたコマンドを電子メール２４に記述し、その電子メール２４を、インターネット１２に接続された図示しないメールサーバを介して、ＢＧＭプレーヤ１６に送信することができる。なお、再生プログラム作成装置１３、コマンド作成装置１７およびデータ送信装置１４は、必ずしもそれぞれ別々のコンピュータ上に構築する必要はなく、同一のコンピュータ上に構築してもよい。
【００２３】
店舗２内にはＢＧＭプレーヤ１６が設置されている。ＢＧＭプレーヤ１６は、データ送信装置１４から送信された電子メール２４に記述されたコマンドに基づいて、所定の処理を実行することができる。
また、電子メール２４に再生プログラムが記述されている場合には、その再生プログラムに記述されたコンテンツを、コンテンツ格納サーバ２８からダウンロードして、再生プログラムに基づいて再生することができる。
ＢＧＭプレーヤ１６の構成および詳細な動作については後述する。
【００２４】
ネットワークの一例であるインターネット１２上には、ＢＧＭプレーヤ１６に配信するコンテンツが蓄積されるコンテンツ格納サーバ２８と、試聴ファイルや試写ファイルとが蓄積される試聴・試写サーバ２９と、データ送信装置１４からＢＧＭプレーヤ１６に送信する電子メール２４を中継するメールサーバ（図示せず）とが設けられている。
なお、コンテンツ格納サーバ２８と試聴・試写サーバ２９とは、必ずしも別々のコンピュータ上に構築する必要はなく、一つのコンピュータ上に構築してもよい。
【００２５】
上述の通り、前記メールサーバが設けられていることにより、ＢＧＭプレーヤ１６と、代理店４のデータ送信装置１４との間は、インターネット１２を使用して電子メール２４を互いにやり取り可能に接続される。
【００２６】
次に、図２に基づいて、キー局６内のコンテンツ作成装置１５の構造および動作について説明する。
コンテンツ作成装置１５は、ＣＰＵやメモリ等から構成される制御部３０、ハードディスクドライブ等の記憶手段３２、インターネット１２等の通信ネットワークに接続してデータの送受信を行なう通信部３４、およびモニタ装置３６等を具備する一般的なパーソナルコンピュータで構成することができる。
【００２７】
コンテンツ作成装置１５は、コンテンツファイルおよび試聴・試写ファイルを作成可能なコンテンツファイル作成手段３８と、コンテンツファイル作成手段３８で作成されたコンテンツファイルをコンテンツ格納サーバ２８へアップロードするコンテンツアップロード手段３５と、試聴ファイルまたは試写ファイルを試聴・試写サーバ２９にアップロードする試聴・試写ファイルアップロード手段３３とを具備している。
また、コンテンツ作成装置１５は、楽曲や画像を取り込むための読込手段４２を具備している。読込手段４２としてはＣＤドライブ、ＤＶＤドライブ等がある。
【００２８】
コンテンツファイル作成手段３８は、予めコンテンツ作成装置１５の記憶手段３２内にインストールされている各アプリケーションソフトが作動して制御部３０等を制御することによって実現される。コンテンツアップロード手段３５および試聴・試写ファイルアップロード手段３３は、予めコンテンツ作成装置１５の記憶手段３２内にインストールされたアプリケーションソフトによって制御部３０と通信部３４とが動作することで実現される。
【００２９】
コンテンツファイル作成手段３８の動作について説明する。
本実施形態のコンテンツファイル作成手段３８は、読込手段４２によって読み込んだ楽曲や画像等の各コンテンツを、コンピュータの記憶手段への記憶に適したファイル形式に変換して、コンテンツファイルを作成する。また、コンテンツファイルの一部を切り出したり、解像度を落としたりしてサイズを小さくすることによって、試聴ファイルまたは試写ファイルを作成する。
【００３０】
コンテンツファイル作成手段３８によって作成されたコンテンツは、コンテンツアップロード手段３５によってコンテンツ格納サーバ２８へアップロードされる。また、コンテンツファイル作成手段３８によって作成された試聴ファイルや試写ファイルは、試聴・試写ファイルアップロード手段３３によって試聴・試写サーバ２９へアップロードされる。
【００３１】
次に、図３〜図７に基づいて、代理店４内の再生プログラム作成装置１３、コマンド作成装置１７およびデータ送信装置１４の構造と動作について説明する。再生プログラム作成装置１３は、図３に示すように、ＣＰＵやメモリ等から構成される制御部４４、ハードディスクドライブ等の記憶手段４６、インターネット１２等の通信ネットワークに接続してデータの送受信を行なう通信部４８、およびモニタ装置４９等を具備する一般的なパーソナルコンピュータで構成することができる。
【００３２】
再生プログラム作成装置１３は、コンテンツ格納サーバ２８にアップロードされたコンテンツをＢＧＭプレーヤ１６に再生させるための再生プログラムを作成する再生プログラム作成手段５０と、再生プログラム作成手段５０で作成された再生プログラムをコマンド作成装置１７に送信する再生プログラム発行手段５１と、試聴・試写サーバ２９にアクセスして試聴ファイルまたは試写ファイルをダウンロードするダウンロード手段５３と、ダウンロードした試聴ファイルまたは試写ファイルを再生する再生手段４５とを具備する。再生手段４５は、ダウンロードした試聴ファイルまたは試写ファイルをＤ／Ａ変換するＤ／Ａ変換回路や増幅回路等から構成される。ダウンロード手段５３と再生手段４５とにより、試聴・試写ファイル再生手段が構成される。
【００３３】
再生プログラム作成手段５０は、再生プログラム作成装置１３の記憶手段４６内に予めインストールされているアプリケーションソフトが実行されることによって実現される。
また、ダウンロード手段５３は、予め再生プログラム作成装置１３の記憶手段４６内にインストールされたアプリケーションソフトによって制御部４４と通信部４８とが動作することで実現される。
また、試聴ファイルまたは試写ファイルを、音声または画像で実際に再生させる機能を有するアプリケーションソフトが記憶手段４６内に予めインストールされており、このアプリケーションソフトによって制御部４４や再生手段４５を制御することによって試聴ファイルまたは試写ファイルがスピーカ５２またはモニタ装置４９を通じて音声または画像として再生される。
【００３４】
再生プログラム作成手段５０は、再生プログラム作成装置１３の操作者によって、ＢＧＭプレーヤ１６で再生するコンテンツを時間毎に入力および編集可能な、図示しない再生スケジュール編集手段を備えている。再生スケジュール編集手段は、ＢＧＭプレーヤ１６で再生するコンテンツを、店舗２ごと、および日ごと（例えば曜日ごと等）に異なるように設定入力可能に設けられる。
ここで、操作者は、コンテンツの概要を知りたい場合には、ダウンロード手段５３を用いて試聴・試写サーバ２９から所望の試聴ファイルまたは試写ファイルをダウンロードし、再生手段４５によって再生することで、コンテンツの概要を知ることができる。操作者は、再生された試聴ファイルまたは試写ファイルの内容を検討した結果に基づき、再生スケジュール編集手段によって、コンテンツを再生するスケジュールを作成することができる。
操作者が再生スケジュール編集手段による入力および編集を終えて、入力を完了する所定の操作を行うと、再生プログラム作成手段５０は、再生スケジュール編集手段に入力されたスケジュールに基づき、再生プログラム８０を作成する。
【００３５】
再生プログラム作成手段５０が作成した再生プログラム８０の一例を図４に示す。
これによると、最初の３行の部分６７が、ＢＧＭプレーヤ１６に対してダウンロードすべきコンテンツ名とその識別子（蓄積されているサーバ名とパス）を示す部分６８と、ダウンロードしたコンテンツの記録先を指示している部分６９とを構成している。
また、上から４行目がコンテンツを再生すべき日付の部分７０である。
上から５行目から７行目までの最後３行の部分７１がＢＧＭプレーヤ１６が何時にどのコンテンツを再生するのかを指示する部分である。ここでの指示は、コンテンツ名ではなく該当するコンテンツが記憶されたＢＧＭプレーヤ内の記録先（ハードディスクドライブや半導体記憶装置等の記録手段）のパスが示されている。
【００３６】
次に、コマンド作成装置１７について説明する。
コマンド作成装置１７は、図５に示すように、ＣＰＵやメモリ等から構成される制御部５４、ハードディスクドライブ等の記憶手段５６、インターネット１２等の通信ネットワークに接続してデータの送受信を行なう通信部５８、およびモニタ装置６０等を具備する一般的なパーソナルコンピュータで構成することができる。
【００３７】
コマンド作成装置１７は、ＢＧＭプレーヤ１６に所定の処理を指示するコマンドを記述するコマンド作成手段６２と、コマンド作成手段６２で作成されたコマンドのデータを、データ送信装置１４に送信するコマンド発行手段６４とを具備する。
コマンド作成手段６２およびコマンド発行手段６４は、コマンド作成装置１７の記憶手段５６内に予めインストールされているアプリケーションソフトが実行されることによって実現される。
【００３８】
コマンド作成手段６２は、コマンド作成装置１７の操作者によって、ＢＧＭプレーヤ１６に実行させたいコマンドの名前を入力および編集可能な、図示しないコマンド入力手段を備えている。コマンド入力手段は、ＢＧＭプレーヤ１６で実行させたいコマンド名を、実行させたい順番に並べて入力可能に設けられる。また、入力された各コマンド名に対して、各コマンドに固有のパラメータを入力することができる。また、コマンド作成装置１７が再生プログラム作成装置１３から再生プログラム８０を受信している場合には、ＢＧＭプレーヤ１６にその再生プログラム８０を設定させるコマンド名を入力および編集可能に設けられる。
操作者がコマンド入力手段によるコマンドおよびパラメータの入力および編集を終えて、入力を完了する所定の操作を行うと、コマンド作成手段６２は、コマンド入力手段に入力されたコマンド名およびパラメータに対応するコマンドを、並べられた順番に、所定のファイルに出力する。
なお、ＢＧＭプレーヤ１６に所定の処理を指示するコマンドとしては、再生プログラムを設定させるコマンド以外に、例えば、再生される楽曲の音量や音質を調整するためのコマンドや、ＢＧＭプレーヤ１６のフラッシュＲＯＭ等の記憶装置内の内容を電子メールでデータ送信装置１４に送信させるコマンド等、複数のコマンドがある。
【００３９】
コマンド発行手段６４は、コマンド作成手段６２でコマンドが記述された前記所定のファイルを、ＬＡＮ等の通信回線を介してデータ送信装置１４に送信する。
【００４０】
次に、データ送信装置１４の構成について、図６に基づいて説明する。
データ送信装置１４は、ＣＰＵやメモリ等から構成される制御部７２、ハードディスクドライブ等の記憶手段７４、インターネット１２等の通信ネットワークに接続してデータの送受信を行なう通信部７６、およびモニタ装置７７等を具備する一般的なパーソナルコンピュータで構成することができる。
【００４１】
データ送信装置１４は、電子メール２４を作成し、コマンド作成装置１７から送信されてきた前記所定のファイルに記述されたコマンド（コマンド列）を、その電子メール２４に記述するメール作成手段８１と、その電子メール２４の宛先のアドレスを操作者に設定させるアドレス設定手段７３と、その電子メール２４の宛先のＢＧＭプレーヤ１６に対応するプレーヤ別パスワードを、操作者の操作によって設定させ、電子メール２４中に記述するプレーヤ別パスワード記述手段７５と、電子メール２４中に、各ＢＧＭプレーヤ１６間で共通のシステムパスワードを記述するシステムパスワード記述手段７９と、その電子メール２４をＢＧＭプレーヤ１６に対して送信するメール送信手段７８とを具備する。
【００４２】
メール作成手段８１、アドレス設定手段７３、プレーヤ別パスワード記述手段７５、システムパスワード記述手段７９、およびメール送信手段７８は、データ送信装置１４の記憶手段７４内に予めインストールされているアプリケーションソフトが実行されることによって実現される。メール作成手段８１、アドレス設定手段７３およびメール送信手段７８としては、電子メール２４の作成や送受信、受信したメールの保存・管理を行うアプリケーションソフトを利用することができる。このようなソフトウェアは、ｗｅｂブラウザに付属しているようなものであってもよいし、単体で動作するものであってもよい。
【００４３】
メール作成手段８１は、コマンド作成装置１７から、コマンドまたはコマンド列が記述された前記ファイルが送られてくると、電子メール２４を新規作成し、電子メール２４の本文に、そのファイルに記述されたコマンドをコピーして記述する。コマンド作成装置１７から送信されてきたコマンドが、ＢＧＭプレーヤに再生プログラムを設定させるコマンドである場合には、電子メール２４の本文に、前記ファイルから、さらに再生プログラムをコピーして記述する。また、電子メール２４の本文に、送信日付等、ＢＧＭプレーヤ１６に伝達すべき情報を記述する。また、電子メール２４の題名を記述する。
【００４４】
メール作成手段８１によって作成される電子メール２４の本文の例を図７に示す。
電子メール２４は、一例としてｂｏｕｎｄａｒｙ（”＊＊＊＊＊”で表示されている）で、２つの区域に区分けされる。
メール作成手段８１は、１番目の区域であるヘッダの部分には、電子メール２４の配信元であるデータ送信装置１４の名前と、配信先であるＢＧＭプレーヤ１６の名前と、送信日付（ここには記述されていないが、送信時間も通常含まれている）等を記述する。
また、メール作成手段８１は、２番目の区域には、コマンド作成装置１７から送信されてきたコマンドまたはコマンド列をコピーして記述する。また、再生プログラムがある場合には、さらに再生プログラムをコピーして記述する。
【００４５】
アドレス設定手段７３は、メール作成手段８１による電子メール２４の作成が終了すると起動され、電子メール２４の宛先となるＢＧＭプレーヤ１６の電子メールアドレスを、操作者の操作によって設定させる。この操作は、アドレスを直接入力させるようにしてもよいし、あらかじめ登録されたアドレスから選択させるように設けても良い。
【００４６】
プレーヤ別パスワード記述手段７５は、アドレス設定手段７３によるアドレスの設定が終了すると起動され、電子メール２４の宛先となるＢＧＭプレーヤ１６に対応するプレーヤ別パスワードを、操作者の操作によって選択させて設定させる。操作者の操作によってプレーヤ別パスワードが選択されると、プレーヤ別パスワード記述手段７５は、図７の電子メール２４に、図８に示すように、選択されたプレーヤ別パスワード９９を記述する。
プレーヤ別パスワード９９は、ＢＧＭプレーヤ１６毎に異なるように定められる文字列である。なお、必ずしも一台一台のＢＧＭプレーヤ１６に対して異なるプレーヤ別パスワードを割り振る必要はなく、例えば、共通の再生プログラムが使用されるチェーン店の各店舗に設置されるＢＧＭプレーヤ１６には、共通のプレーヤ別パスワードを割り振ってもよい。
【００４７】
また、ＢＧＭプレーヤ１６毎（またはチェーン店毎）に異なるように定められるこのプレーヤ別パスワード９９とは別に、ＢＧＭ再生システム１０の全ＢＧＭプレーヤ１６に共通のプレーヤ別パスワードを設定してもよい。これについては後述する。
【００４８】
メール送信手段７８は、操作者による所定の操作により、前記電子メール２４を、アドレス設定手段７３によって設定された特定のＢＧＭプレーヤ１６のアドレスに対して送信することができる。
操作者によってメール送信手段７８による送信を行う操作が行われると、システムパスワード記述手段７９が自動的に起動される。システムパスワード記述手段７９は、送信される電子メール２４中に、図８に示すように、所定のシステムパスワード９８を記述する。システムパスワード９８は、ＢＧＭ再生システム１０毎に一意に定められた文字列であり、それが記述された電子メール２４が、特定のＢＧＭ再生システム１０のＢＧＭプレーヤ１６の制御用に用いられるものであることを示している。
システムパスワード記述手段７９によるシステムパスワード９８の記述が行われると、電子メール２４は、前記メールサーバを介して、宛先に設定されたアドレスに対応するＢＧＭプレーヤ１６に送信される。
【００４９】
本実施の形態においては、コマンドおよび再生プログラムを、電子メール２４の本文に記述しているが、これらが記述されたファイルを、電子メール２４に添付ファイルとして添付させても良い。
また、システムパスワード９８およびプレーヤ別パスワード９９を電子メール２４中に記述することには、電子メール２４に添付された添付ファイル中にシステムパスワード９８およびプレーヤ別パスワード９９を記述する場合も含まれる。
【００５０】
次に、ＢＧＭプレーヤ１６の内部構成について、図９に基づいて説明する。
ＢＧＭプレーヤ１６は、プレーヤ全体の動作を制御するために予め設定されたファームウェア等によって動作する制御部８２と、インターネット１２等の通信回線に接続するための通信部８４と、カレンダー等のスケジュールに従ってコンテンツの再生順序等が定められており、この定められた内容でコンテンツを再生するように制御部８２を制御する再生プログラム８０を記憶する再生プログラム記憶手段８６、複数のコンテンツがデジタルデータとして記憶されるコンテンツ記憶手段８８、およびコンテンツ記憶手段８８から取り出したデジタルデータとしてのコンテンツをＤ／Ａ変換するＤ／Ａ変換回路や増幅回路等からなる再生手段８９を具備している。
また、再生手段８９には、コンテンツを音声として再生するスピーカ９０や映像として再生するモニタ装置９１が接続されている。これらスピーカ９０やモニタ装置９１はＢＧＭプレーヤ１６と一体に設けられていてもよいし、別体に設けられていてもよい。
【００５１】
制御部８２には、ファームウェアとして構成されるメール受信手段８３、システムパスワードチェック手段８５、プレーヤ別パスワードチェック手段８７、およびコンテンツ再生制御手段９２が含まれる。
【００５２】
ＢＧＭプレーヤ１６の動作について説明する。
ＢＧＭプレーヤ１６のメール受信手段８３は、通信部８４を介して、メールサーバのメールボックスに届いた電子メール２４を受信する。
電子メール２４を受信すると、システムパスワードチェック手段８５によって、電子メール２４に、正しいシステムパスワードが記述されているか否かをチェックする。システムパスワードチェック手段８５は、電子メール２４に、ＢＧＭ再生システム１０で使用されている正しいシステムパスワードが記述されているか否かをチェックする。正しいシステムパスワードが記述されていない場合には、そのメールを破棄して、その電子メール２４に記述されたコマンドの解析および実行を行わない。正しいシステムパスワードが記述されている場合に限り、プレーヤ別パスワードチェック手段８７を起動し、プレーヤ別パスワードのチェックを行う。
【００５３】
プレーヤ別パスワードチェック手段８７は、前記電子メール２４に、そのＢＧＭプレーヤ１６に対応するプレーヤ別パスワード９９が記述されているか否かをチェックする。
ここで、そのＢＧＭプレーヤ１６に割り振られた正しいプレーヤ別パスワードが記述されていない場合には、ＢＧＭプレーヤ１６は、データ送信装置１４に対して、プレーヤ別パスワードが間違っていることを通知する電子メールを送信する。データ送信装置１４がこの電子メールを受信することで、データ送信装置１４の操作者は、コマンドを記述した電子メール２４の宛先を誤って送信したことを認識することが可能となり、コマンドを記述した電子メール２４を出し直すなどの対応を行うことが可能となる。
【００５４】
システムパスワードおよびプレーヤ別パスワードが共に正しい場合には、ＢＧＭプレーヤ１６は、電子メール２４に記述されたコマンドまたはコマンド列に基づいた処理を実行する。
そのコマンドが、再生プログラムを設定するものである場合には、ＢＧＭプレーヤ１６のコンテンツ再生制御手段９２は、受信した電子メール２４に記述されたコンテンツ格納サーバ２８にアクセスすると共に電子メール２４に記述された格納パスをたどり、コンテンツ格納サーバ２８から該当するコンテンツをダウンロードする。
また、コンテンツ再生制御手段９２は、このコンテンツを実行させるために電子メール２４に記述されている再生プログラム８０を再生プログラム記憶手段８６に記憶させる。
【００５５】
コンテンツ再生制御手段９２は、この再生プログラム８０を再生プログラム記憶手段８６内から読み出して実行することにより、再生プログラム８０に基づいてコンテンツ記憶手段８８に記憶されているコンテンツを順番に再生するように制御する。
【００５６】
システムパスワードチェック手段８５によれば、ＢＧＭプレーヤ１６が受信した電子メール２４に、正しいシステムパスワードが記述されている場合に限り、その電子メール２４に記述されたコマンドを実行するため、ＢＧＭプレーヤ１６が、第三者からの、誤送信または悪意等による電子メールによって誤動作するのを防ぐことができる。
【００５７】
また、プレーヤ別パスワードチェック手段８７によれば、ＢＧＭプレーヤ１６が受信した電子メール２４に、そのＢＧＭプレーヤ１６に対応したプレーヤ別パスワードが記述されている場合に限り、その電子メール２４に記述されたコマンドを実行するため、操作者がアドレス設定手段によるアドレスの設定を間違えた場合に、その電子メール２４を受信したＢＧＭプレーヤ１６がその電子メール２４に記述されたコマンドを実行するのを防ぐことができる。
【００５８】
本実施の形態のＢＧＭ再生システムは、システムパスワードとプレーヤ別パスワードとを共に採用している。そして、ＢＧＭプレーヤ１６において、システムパスワードチェック手段８５をプレーヤ別パスワードチェック手段８７の前に行って、システムパスワードが間違っている場合には、コマンドの実行を行わないと共に、プレーヤ別パスワードが間違っていることを通知するメールを返信しないことにより、第三者からの、誤送信または悪意等による電子メールがＢＧＭプレーヤに届いた際に、その第三者に、プレーヤ別パスワードが間違っていることを通知する電子メールが送信（返信）されることがなく、その第三者にＢＧＭプレーヤに関する情報を与えてしまうことがないという効果を得ている。
【００５９】
ところで、例えばＢＧＭ再生システム１０の管理者等が、複数のＢＧＭプレーヤ１６に対して共通のコマンドを送信したい場合がある。例えば、ＢＧＭプレーヤのファームウェアを、コマンドによって一斉にバージョンアップさせたい場合などである。このような場合に、管理者が一つ一つのＢＧＭプレーヤ１６について、対応するプレーヤ別パスワードを調べ、別々の電子メールを作成するのは面倒である。
【００６０】
この課題に対しては、各ＢＧＭプレーヤ１６に、前記プレーヤ別パスワードとは別に、第二の対応するプレーヤ別パスワードを持たせ、この第二のプレーヤ別パスワードは、各ＢＧＭプレーヤ１６間で共通になものに設定しておけばよい。ＢＧＭプレーヤ１６は、プレーヤ別パスワードチェック手段８７によって受信した電子メールに記述されたプレーヤ別パスワードをチェックする際、電子メールに記述されたプレーヤ別パスワードが、二つのプレーヤ別パスワードのいずれか一方に一致すれば、対応するプレー別パスワードが一致したものと判断する。
これにより、複数のＢＧＭプレーヤ１６に共通のコマンドが書かれたコマンドを送りたい際には、各ＢＧＭプレーヤ１６間で共通な第二のプレーヤ別パスワードを記述することで、同一の電子メールによって任意のＢＧＭプレーヤ１６にコマンドを実行させることが可能となる。
ただし、この第二のプレーヤ別パスワードは、ＢＧＭ再生システム１０の任意のＢＧＭプレーヤ１６に対して有効なものであるため、再生システム１０の管理者等、再生システム１０に対して特別な権限をもつ者のみが知りうるように管理しておくことが望ましい。
【００６１】
上述してきた実施形態では、ＢＧＭプレーヤ１６のコンテンツの入手は、コンテンツ格納サーバ２８からコンテンツをダウンロードして行なうものであった。このようにすればトラフィックが混雑せず、ＢＧＭプレーヤ１６の数が増えたとしても、データ送信装置１４からインターネット１２への伝送路の混み合いが緩和できるからである。
しかし、大容量の回線でデータ送信装置１４とＢＧＭプレーヤ１６との間が接続されているのであれば、データ送信装置１４からの電子メール２４にコンテンツを添付してＢＧＭプレーヤ１６に直接配信するようにしてもよい。かかる場合には、電子メール２４にコンテンツの識別子を記述する必要はない。
【００６２】
【発明の効果】
本発明に係るＢＧＭ再生システム、データ送信装置およびＢＧＭプレーヤによれば、第三者からの、誤送信または悪意等による電子メールがＢＧＭプレーヤに届いた際に、ＢＧＭプレーヤの誤動作をなくすことができ、また、操作者のミスによって宛先のＢＧＭプレーヤのアドレスを間違えた場合に、その電子メールに記述されたコマンドの実行を行わないと共に、宛先のアドレスが間違っている旨を操作者に通知することができるという効果を奏する。
【図面の簡単な説明】
【図１】本発明に係るＢＧＭ再生システムの全体構成を示す説明図である。
【図２】コンテンツ作成装置の内部構成を示した説明図である。
【図３】再生プログラム作成装置の内部構成を示した説明図である。
【図４】再生プログラムの一例を示す説明図である。
【図５】コマンド作成装置の内部構成を示す説明図である。
【図６】本発明に係るデータ送信装置の内部構成を示す説明図である。
【図７】メール作成手段が作成する電子メールの内容を示す説明図である。
【図８】プレーヤ別パスワード記述手段およびシステムパスワード記述手段によってプレーヤ別パスワードおよびシステムパスワードが記述された、データ送信装置からＢＧＭプレーヤへ送信される電子メールの内容を示す説明図である。
【図９】本発明に係るＢＧＭプレーヤの内部構成を示す説明図である。
【符号の説明】
２　店舗
４　代理店
６　キー局
１０　ＢＧＭ再生システム
１２　インターネット（ネットワーク）
１３　再生プログラム作成装置
１４　データ送信装置
１５　コンテンツ作成装置
１６　ＢＧＭプレーヤ
１７　コマンド作成装置
２４　電子メール
２８　コンテンツ格納サーバ
２９　試聴・試写サーバ
５０　再生プログラム作成手段
５１　再生プログラム発行手段
６２　コマンド作成手段
６４　コマンド発行手段
７３　アドレス設定手段
７５　プレーヤ別パスワード記述手段
７８　メール送信手段
７９　システムパスワード記述手段
８０　再生プログラム
８１　メール作成手段
８３　メール受信手段
８５　システムパスワードチェック手段
８６　再生プログラム記憶手段
８７　プレーヤ別パスワードチェック手段
８８　コンテンツ記憶手段
８９　再生手段
９２　コンテンツ再生制御手段
９８　システムパスワード
９９　プレーヤ別パスワード
【図１】
2004139518.tif 000003
【図２】
2004139518.tif 000004
【図３】
2004139518.tif 000005
【図４】
2004139518.tif 000006
【図５】
2004139518.tif 000007
【図６】
2004139518.tif 000008
【図７】
2004139518.tif 000009
【図８】
2004139518.tif 000010
【図９】
2004139518.tif 000011